(57)【要約】【課題】フレキシブル配線基板の通し孔に嵌め込まれた防水キャップが外側に抜けないようにすることを簡単な構造で実現できる携帯用電子機器を提供する。【解決手段】上筐体２がヒンジ４によって下筐体３に連結され、上筐体２がヒンジ４の軸を中心にして下筐体３に対して回動可能となっている。上筐体２の側面２１に通し孔２３が形成され、通し孔２３にフレキシブル配線基板５が通されている。フレキシブル配線基板５には防水キャップ７０が形成され、防水キャップ７０が通し孔２３に嵌められている。上筐体２にはヒンジカバー部材６３がフレキシブル配線基板５を覆うように取り付けられ、このヒンジカバー部材６３に形成された抜け止め爪６３ａが上筐体２の外側から防水キャップ７０を覆っている。【選択図】図２
2006345286.tif 000002
【特許請求の範囲】
【請求項１】
第一筐体と、前記第一筐体にヒンジを介して連結された第二筐体と、前記第一筐体と前記第二筐体を接続するフレキシブル配線基板と、前記フレキシブル配線基板を覆った状態で前記第一筐体に取り付けられたヒンジカバー部材とを備えた携帯用電子機器において、
前記第一筐体には内部に通じる通し孔が形成され、前記フレキシブル配線基板が前記通し孔に挿通され、防水部材が前記フレキシブル配線基板の一部を包み込むよう前記フレキシブル配線基板に成形され、前記防水部材が前記通し孔に嵌め込まれ、前記ヒンジカバー部材に一体形成された爪が前記第一筐体の外側から前記防水部材を覆ったことを特徴とする携帯用電子機器。
【請求項２】
前記防水部材の外周にフランジが凸設され、前記フランジが前記通し孔の周囲において前記第一筐体の外側側面に当接し、前記フランジが前記第一筐体の外側側面と前記爪との間に挟まれていることを特徴とする請求項１に記載の携帯用電子機器。
【発明の詳細な説明】
【技術分野】
【０００１】
本発明は、第一筐体をヒンジによって第二筐体に連結した携帯用電子機器に関する。
【背景技術】
【０００２】
近年、携帯用電話機等の携帯用電子機器では、ヒンジを介して互いに折り畳み自在に連結された上筐体及び下筐体を備えたものが主流となっている。ヒンジをヒンジカバーで覆うことによって、携帯用電子機器の見栄えを良好にすることが行われている（例えば、特許文献１、特許文献２参照。）。上筐体内に収容された回路基板と、下筐体内に収容された回路基板とがフレキシブル配線基板によって電気的に接続されるが、そのフレキシブル配線基板はヒンジカバーによって覆われた内部空間に収容される。また、フレキシブル配線基板は上筐体と下筐体に形成された通し孔を通って上筐体と下筐体の内側に案内されるが、通し孔を通じた浸水を防水するために通し孔を防水キャップによって塞ぐことが行われている（例えば、特許文献３参照。）。
【特許文献１】特開２００２−１３９０２４号公報
【特許文献２】特開２００３−３０４３１０号公報
【特許文献３】特開２００４−２１４９２７号公報
【発明の開示】
【発明が解決しようとする課題】
【０００３】
下筐体に対して上筐体を開閉するとフレキシブル配線基板が変形するが、その開閉を繰り返すうちに、防水キャップが通し孔から抜けてしまう虞がある。特許文献３では、防水キャップにフランジを形成し、そのフランジを筐体の外面に係止させることで、防水キャップが筐体の内側へ抜けてしまうことを防止しているが、防水キャップが筐体の外側に抜けてしまうことがある。そこで、防水キャップの反対側に別のフランジを形成し、そのフランジを筐体の内面に係止することで防水キャップが外側に抜けなくなるが、防水キャップを通し孔に嵌め込むことがそのフランジにより困難となる。
そこで、本発明は、フレキシブル配線基板の通し孔に嵌め込まれた防水キャップが外側に抜けないようにすることを簡単な構造で実現できる携帯用電子機器を提供することを目的とする。
【課題を解決するための手段】
【０００４】
以上の課題を解決するため、請求項１に係る発明は、第一筐体と、前記第一筐体にヒンジを介して連結された第二筐体と、前記第一筐体と前記第二筐体を接続するフレキシブル配線基板と、前記フレキシブル配線基板を覆った状態で前記第一筐体に取り付けられたヒンジカバー部材とを備えた携帯用電子機器において、前記第一筐体には内部に通じる通し孔が形成され、前記フレキシブル配線基板が前記通し孔に挿通され、防水部材が前記フレキシブル配線基板の一部を包み込むよう前記フレキシブル配線基板に成形され、前記防水部材が前記通し孔に嵌め込まれ、前記ヒンジカバー部材に一体形成された爪が前記第一筐体の外側から前記防水部材を覆ったことを特徴とする。
【０００５】
請求項１に係る発明によれば、ヒンジカバー部材に一体形成された爪が第一筐体の外側から防水部材を覆うことで、防水部材が通し孔から第一筐体の外側へ抜けなくなる。また、ヒンジカバー部材に爪が形成されているので、ヒンジカバー部材を第一筐体に取り付けるだけで、防水部材の抜け防止を簡単な構造で実現することができる。
【０００６】
請求項２に係る発明は、請求項１に記載の携帯用電子機器において、前記防水部材の外周にフランジが凸設され、前記フランジが前記通し孔の周囲において前記第一筐体の外側側面に当接し、前記フランジが前記第一筐体の外側側面と前記爪との間に挟まれていることを特徴とする。
【０００７】
請求項２に係る発明によれば、防水部材に形成されたフランジが第一筐体の外側側面と爪との間に挟まれているので、防水部材が通し孔から第一筐体の外側にも内側にも抜けない。
【発明の効果】
【０００８】
本発明によれば、ヒンジカバー部材を第一筐体に取り付けるだけで、通し孔からの防水部材の抜け防止を簡単に実現することができる。
【発明を実施するための最良の形態】
【０００９】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１０】
図１は携帯用電話機１の一部を分解した状態の斜視図である。
【００１１】
この携帯用電話機１においては、上筐体２がヒンジ４によって下筐体３に連結され、上筐体２がヒンジ４の軸を中心にして下筐体３に対して回動可能となっている。下筐体３に対して上筐体２が閉じた状態では、上筐体２の前面が下筐体３の前面に対面し、下筐体３に対して上筐体２が開いた状態では、上筐体２の前面及び下筐体３の前面のどちらも正面を向いている。
【００１２】
上筐体２は裏ケースに表ケースを重ね合わせたものである。下筐体３は裏ケースに表ケースを重ね、裏ケースの背面に背面カバーを重ね合わせたものである。ヒンジ４は、上筐体２の下筐体３側の側面２１に形成された２つの筒体２２と、下筐体３の上筐体２側の側面３１に形成された筒体３２と、対となる筒体２２及び筒体３２の両方に挿入されたヒンジユニット４１とから構成され、ヒンジユニット４１によって下筐体３に対して上筐体２が回動可能となっている。
【００１３】
図２は、図１の切断線IIに沿った面の上筐体２の断面図である。図２に示すように、上筐体２は筐体を構成する表ケースと裏ケースとの嵌め合わせ部に全周に亘ってエラストマー性のＯリング２０が設けられた防水仕様の筐体であり、この上筐体２内にはディスプレイパネル２７などを搭載した回路基板２４が収容されている。なお、この回路基板２４に搭載されたディスプレイパネル２７は、図５に示すように、上筐体２の内側において上筐体２の前面に面している。
【００１４】
図１、図２に示すように、上筐体２の下筐体３側の側面２１には、ヒンジ４の軸に平行な方向に長尺な通し孔２３が形成され、この通し孔２３が上筐体２の外から内へ貫通している。この通し孔２３を通って帯状のフレキシブル配線基板（ＦＰＣ）５が上筐体２の内側に案内され、フレキシブル配線基板５の端部に設けられたコネクタ５１が回路基板２４に接続される。
【００１５】
図３は、図１の切断線IIIに沿った面の下筐体３の断面図である。図３に示すように下筐体３内にも回路基板３４が収容され、回路基板３４に搭載された防水型キーシート３５が下筐体３の前面から一部突出した状態で下筐体３の前面に面している。防水型キーシート３５の周縁部には、筐体を構成する表ケースと裏ケースとの嵌め合わせ部を防水するパッキン部が一体成形されている。回路基板３４と防水型キーシート３５の間にはスイッチシート３６が設けられ、スイッチシート３６にはドームスイッチ等の薄型押圧スイッチが防水型キーシート３５のそれぞれのキーに対応して設けられている。
【００１６】
図１、図３に示すように、下筐体３のヒンジ４側の側面３１には、ヒンジ４の軸に平行な方向に長尺な通し孔３３が形成され、この通し孔３３が下筐体３の外から内へ挿通されている。この通し孔３３を通ってフレキシブル配線基板５が下筐体３の内側に案内され、下筐体３の他端部に設けられたコネクタ５２が回路基板３４に接続される。回路基板３４と回路基板２４がフレキシブル配線基板５によって電気的に接続される。
【００１７】
図４はフレキシブル配線基板５の平面図であるが、図４、図１に示すように、フレキシブル配線基板５の幅方向がヒンジ４の軸方向に平行な状態とされ、フレキシブル配線基板５がヒンジ４の軸回りに螺旋状に引き回されている。
【００１８】
フレキシブル配線基板５にはエラストマー性を有する防水キャップ７０，８０がインサート成形によって一体化されている。つまり、防水キャップ７０，８０は、インサート材としてのフレキシブル配線基板５の一部を溶融樹脂で包んで固化させることによって形成されたものであり、その固化した樹脂が防水キャップ７０，８０となる。
【００１９】
防水キャップ７０，８０について具体的に説明する。図２、図４に示すように、防水キャップ７０の中腹外周には溝７１が周方向に亘って形成され、防水キャップ７０の一端外周にはフランジ７２が周方向に亘って凸設されている。溝７１には、エラストマー性のＯリング７３が嵌められている。図３、図４に示すように、防水キャップ８０も防水キャップ７０と同様に、溝８１及びフランジ８２が形成され、溝８１にエラストマー性のＯリング８３が嵌められている。フレキシブル配線基板５の一端から他端に沿ってみた場合、防水キャップ７０のフランジ７２は防水キャップ８０側にあり、防水キャップ８０のフランジ８２は防水キャップ７０側にあり、フランジ７２とフランジ８２が相対している。
【００２０】
Ｏリング７３が嵌められた防水キャップ７０は、図２に示すように通し孔２３に嵌め込まれ、通し孔２３の壁面に圧接している。防水キャップ７０のフランジ７２が通し孔２３の周囲全体に亘って上筐体２の側面２１に係止し、防水キャップ７０が上筐体２の内側に入り込まないようになっている。また、Ｏリング８３が嵌められた防水キャップ８０も、図３に示すように通し孔３３の壁面に圧接した状態で通し孔３３に嵌め込まれ、フランジ８２が下筐体３の側面３１に係止している。
【００２１】
図５に示すように、上筐体２の前面にはヒンジカバー部材６１が取り付けられ、上筐体２の側面２１にはヒンジカバー部材６３が取り付けられている。ヒンジカバー部材６１に半円筒状の２つのカバー部６２が一体形成され、ヒンジカバー部材６３に半円筒状の２つのカバー部６４が一体形成され、カバー部６２とカバー部６４が組み合わせられることで円筒状のカバー９１が構成される。右のカバー９１は右の筒体２２を覆い、左のカバー９１の一部が左の筒体２２を覆っている。
【００２２】
図６に示すように、下筐体３の前面にはヒンジカバー部材６５が取り付けられ、下筐体３の側面３１にはヒンジカバー部材６７が取り付けられている。ヒンジカバー部材６５に半円筒状のカバー部６６が一体形成され、ヒンジカバー部材６７に半円筒状のカバー部６８が一体形成され、カバー部６６とカバー部６８が組み合わせられることで円筒状のカバー９２が構成される。また、下筐体３には、ヒンジカバー６９が筒体３２を覆うように取り付けられている。
【００２３】
上筐体２と下筐体３がヒンジ結合された状態でヒンジカバー部材６１，６３，６５，６７が取り付けられると、２つのカバー９１の間にカバー９２が配置される。そして、左右のヒンジ４の間には、左のカバー９１の一部とカバー９２によって覆われた内部空間が形成され、フレキシブル配線基板５はその内部空間に収容される。なお、図１では、図面を見やすくするためにヒンジカバー部材６１、ヒンジカバー部材６５及びヒンジカバー６９の図示を省略し、図５及び図６ではフレキシブル配線基板５の図示を省略する。
【００２４】
図１、図２、図５に示すように、ヒンジカバー部材６３には２つの抜け止め爪６３ａが一体形成されている。ヒンジカバー部材６３が上筐体２に取り付けられた状態では、抜け止め爪６３ａが上筐体２の外側から防水キャップ７０の一部を覆って、防水キャップ７０の外側端面が抜け止め爪６３ａによって受けられている。なお、抜け止め爪６３ａを大きくし、抜け止め爪６３ａが防水キャップ７０の外側端面全体を覆っても良い。
【００２５】
抜け止め爪６３ａと上筐体２の側面２１との間に防水キャップ７０のフランジ７２が挟まれ、フランジ７２が抜け止め爪６３ａに係止している。この抜け止め爪６３ａは、上筐体２の側面に形成された爪２６に係止している。
【００２６】
図３、図６に示すように、ヒンジカバー部材６５には２つの抜け止め爪６５ａが一体形成されている。ヒンジカバー部材６５が下筐体３に取り付けられた状態では、抜け止め爪６５ａが下筐体３の外側から防水キャップ８０の一部を覆って、防水キャップ８０の外側端面が抜け止め爪６５ａによって受けられている。なお、抜け止め付け６５ａを大きくし、抜け止め爪６５ａが防水キャップ８０の外側端面全体を覆っても良い。
【００２７】
更に、抜け止め爪６５ａと下筐体３の側面３１との間に防水キャップ８０のフランジ８２が挟まれ、フランジ８２が抜け止め爪６５ａに係止している。
【００２８】
以上のように、本実施形態によれば、防水キャップ７０，８０が通し孔２３，３３に嵌め込まれているから、上筐体２及び下筐体３の内側に水が浸入しなくなる。これら防水キャップ７０，８０はインサート成形によりフレキシブル配線基板５に一体成形されたので、防水キャップ７０，８０とフレキシブル配線基板５との間の界面における気密性・水密性が高い。
【００２９】
また、抜け止め爪６３ａが防水キャップ７０の外側端面の上から通し孔２３の一部を覆っているので、フレキシブル配線基板５が上筐体２から抜けるような荷重が作用しても、防水キャップ７０の端面が抜け止め爪６３ａに当接して受けられるので、防水キャップ７０が通し孔２３から外へ抜けない。特に、防水キャップ７０のフランジ７２が抜け止め爪６３ａと上筐体２の側面２１との間に挟まれているので、防水キャップ７０の抜け防止が図られるとともに、高い防水性も実現できる。防水キャップ８０についても同様に、抜け防止と高い防水性が抜け止め爪６５ａによって実現される。
【００３０】
また、抜け止め爪６３ａ，６５ａがヒンジカバー部材６３，６５に一体形成されているから、ヒンジカバー部材６３，６５を筐体２，３に取り付けるだけで、防水キャップ７０，８０の抜けを簡単に防止することができる。
【００３１】
なお、本発明は、上記実施形態に限定されることなく、本発明の趣旨を逸脱しない範囲において、種々の改良並びに設計の変更を行っても良い。
例えば、上記実施形態では、２つの抜け止め爪６５ａが一体形成されているヒンジカバー部材６５は、下筐体３を構成するケース部材とは別部材として形成され、下筐体３の前面、すなわち表ケースに取り付けられる構成であったが、下筐体３を構成する表ケースと一体に構成されたものであっても良い。すなわち、筐体を構成するケース部材にヒンジカバー部を形成し、そのヒンジカバー部に防水キャップ（防水部材）の抜け止めを防止する抜け止め爪を設けるようにしても良い。
また、上記実施形態では携帯用電子機器として携帯用電話機１を例に挙げて説明を行ったが、ノート型パーソナルコンピュータ、デジタルカメラ、腕時計、ＰＤＡ（Personal Digital Assistance）、電子手帳、携帯用無線機、その他の折り畳み型電子機器にフレキシブル配線基板を設ける場合にも本発明を適用しても良い。
【図面の簡単な説明】
【００３２】
【図１】携帯用電話機１の一部を分解した状態の斜視図である。
【図２】図１の切断線IIに沿った面の上筐体２の断面図である。
【図３】図１の切断線IIIに沿った面の下筐体３の断面図である。
【図４】フレキシブル配線基板５の平面図である。
【図５】上筐体２からヒンジカバー部材６１，６３を取り外した状態の斜視図である。
【図６】上筐体３からヒンジカバー部材６５，６７を取り外した状態の斜視図である。
【符号の説明】
【００３３】
１  携帯用電話器
２  上筐体
３  下筐体
４  ヒンジ
５  フレキシブル配線基板
６３、６５  ヒンジカバー部材
６３ａ、６５ａ  抜け防止爪
７０、８０  防水キャップ
７２、８２  フランジ
【図１】
2006345286.tif 000003
【図２】
2006345286.tif 000004
【図３】
2006345286.tif 000005
【図４】
2006345286.tif 000006
【図５】
2006345286.tif 000007
【図６】
2006345286.tif 000008